(57)【要約】【課題】  場所を選ばず操作可能で、マウス動作によるカーソル制御等、各種操作を自在に行うことが可能な携帯電話を提供する。【解決手段】  手指により操作可能なタッチパネルを備える携帯電話であり、当該タッチパネルの操作信号を送信することにより各種機器の操作が行われる。例えば、裏面に前記タッチパネルが設けられ、左右側面の少なくとも一方にクリックボタンスイッチが設けられている。操作は、パーソナルコンピュータのカーソル制御、オーディオビジュアル機器のリモコン操作、自動車のキーレスエントリー等である。ブルートゥース接続により操作信号が送信される。【選択図】  図１
2006042123.tif 000002
【特許請求の範囲】
【請求項１】
少なくとも手指により操作可能なタッチパネルを備え、当該タッチパネルの操作信号を送信することにより各種機器の操作が行われることを特徴とする携帯電話。
【請求項２】
前記操作は、パーソナルコンピュータのカーソル制御、オーディオビジュアル機器のリモコン操作、自動車のキーレスエントリーの少なくとも１種であることを特徴とする請求項１記載の携帯電話。
【請求項３】
ブルートゥース接続により前記操作信号が送信されることを特徴とする請求項１又は２記載の携帯電話。
【請求項４】
裏面に前記タッチパネルが設けられ、左右側面の少なくとも一方にクリックボタンスイッチが設けられていることを特徴とする請求項１から３のいずれか１項記載の携帯電話。
【発明の詳細な説明】
【技術分野】
【０００１】
本発明は、例えばコンピュータ装置のカーソル制御等の操作を無線接続により行い得る新規な携帯電話に関する。
【背景技術】
【０００２】
いわゆるパーソナルコンピュータ等、各種コンピュータ装置においては、画像表示装置（モニタ）に表示された画面上に座標点を示すカーソルやポインタ等を任意の位置に移動させたり、範囲指定等を行う座標入力装置としてマウス入力装置が広く用いられている。マウス入力装置は、手になじむような曲面形状とされたケース体と、前記ケース体の底面に一部露呈しケース体の操作に伴って回転するトラックボールと、ケース体の表側に配置された複数のクリックボタン等から構成されている。
【０００３】
近年、ノート型パーソナルコンピュータ等の普及に伴い、前記マウス入力装置では対応が難しくなってきており、いわゆるタッチパッドやアキュポイント等をマウス入力装置の代わりにポインティングデバイスとして装備したノート型パーソナルコンピュータが広く市販されている。
【０００４】
ところで、ノート型パーソナルコンピュータの中でも、小型可搬型のパーソナルコンピュータやＰＤＡ等においては、より一層の小型化が進められており、場所の制約から前記ポインティングデバイスが装備されないことがある。このような場合、入力操作はキーボードによる操作でしか行うことができず、操作の利便性に欠けるという問題があり、その対応策が要望されている。
【０００５】
そこで、携帯電話を無線マウスとして利用することが提案されている（例えば、特許文献１や特許文献２等を参照）。これら特許文献記載の発明では、携帯電話にモーションセンサ等を内蔵することで、通常のマウス入力装置と同様の座標入力、カーソル制御等を可能にしている。
【特許文献１】特開２００４−１４７２７２号公報
【特許文献２】特開２００３−６９６７７号公報
【発明の開示】
【発明が解決しようとする課題】
【０００６】
しかしながら、通常のマウス入力装置と同じ方式の無線マウスでは、例えば車や電車での移動中の作業等、マウスを置く平坦な場所がない場合、操作が難しく、結局はキーボードに頼らざるを得ないという問題がある。
【０００７】
本発明は、このような従来の実情に鑑みて提案されたものであり、場所を選ばず操作可能で、マウス動作によるカーソル制御等、各種操作を自在に行うことが可能な携帯電話を提供することを目的とする。
【課題を解決するための手段】
【０００８】
上述の目的を達成するために、本発明に係る携帯電話は、少なくとも手指により操作可能なタッチパネルを備え、当該タッチパネルの操作信号を送信することにより各種機器の操作が行われることを特徴とする。
【０００９】
本発明の携帯電話は、カーソル制御手段として手指により操作可能なタッチパネルを備えていることから、場所を選ばずカーソル制御（座標入力）等が可能であり、例えば車や
電車での移動中の作業等においても、安定に操作信号が入力される。したがって、キーボードに頼らずマウス操作を行うことができ、操作の利便性が確保される。
【発明の効果】
【００１０】
本発明の携帯電話によれば、場所を選ばずマウス動作によるカーソル制御等、各種操作を自在に行うことが可能であり、パーソナルコンピュータのカーソル制御や各種機器操作を簡単に行うことが可能である。
【発明を実施するための最良の形態】
【００１１】
以下、本発明を適用した携帯電話について、図面を参照して詳細に説明する。
【００１２】
本実施形態の携帯電話機１は、図１（ａ），（ｂ）、さらには図２（ａ），（ｂ）に示すように、いわゆる折りたたみ式の携帯電話機である。すなわち、この携帯電話機１は、ナンバーキーや各種操作キー等の操作ボタンが配列された操作部２と、液晶表示画面や裏面にサブディスプレイ４やカメラレンズ５が設けられた表示部３とから構成される。
【００１３】
これら操作部２と表示部３とは、通常の携帯電話機としての使用時には、開閉自在なヒンジ部を介して結合されており、使用者は、使用時には、これら操作部２，表示部３を広げてキー操作及び表示の確認を行い、電話機として使用し、あるいはメールの送受信等を行う。ここで、操作部２にはマイクが、表示部３にはスピーカが設けられており、通話時には、前記表示部３のスピーカを耳に押し当て、操作部２のマイクに向かって話すようにする。一方、不使用時には、これら操作部２と表示部３を折りたたみ、２つ折り状態でコンパクトに持ち運ぶことが可能である。
【００１４】
本実施形態の携帯電話１では、マウス代用としてブルートゥース搭載携帯電話を用いるとともに、このブルートゥース搭載携帯電話にポインティングデバイス（主にタッチパネル）を実装する。
【００１５】
タッチパネル(タッチスクリーン)６の実装箇所は、図１（ｂ）に示すように、例えば操作部２の裏面とし、バッテリーカバー７に隣接する形で実装する。また、クリックボタン部８，９を、操作部３の左右両側面に割り当てる。携帯電話１の操作時の持ち方は、右利きの人の場合、人差し指でタッチパネル６を操作し、親指で左クリックボタン部８、中指で右クリックボタン部９を操作する。薬指及び小指は、携帯電話１を支持するように携帯電話１の裏面に添える。
【００１６】
前記携帯電話１における回路構成を図３に示す。携帯電話１には、無線通信のためのブルートゥースチップ１１がフラッシュメモリ１２とともに実装されている。ブルートゥースチップ１１としては、ブルートゥースのマウス等の周辺機器等の標準ドライバとやり取りする適合プロトコルであるＨＩＤ（Human/machine Interface Devices）対応のものを用いる。また、マウス機能部分１３として、タッチパネル、クリックボタン等の入力部１４と、入力を検知するエレクトリックセンサ１５が実装されている。このマウス機能部分１３とブルートゥースチップ１１の間で信号の授受が行われ、ブルートゥースチップ１１を介してパーソナルコンピュータ１６との間で操作信号の授受が行われる。なお、パーソナルコンピュータ１６にも、ブルートゥース規格により無線で信号の授受を行うためのブルートゥースユニット１７が装着されている。
【００１７】
ブルートゥース（Bluetooth）は、２．４ＧＨｚの周波数の電波を使って、例えば携帯機器や携帯電話、パソコン等、様々な機器の間で簡単にお互いを認識したり、データのやりとりができるようにする技術であり、対応のモジュールも小さく、低消費電力なものが存在し、携帯機器にも搭載し易いという特長を有する。したがって、これを信号授受のた
めの無線規格として採用することで、携帯電話１をさほど大型化することなく、無線手段を組み込むことが可能になる。
【００１８】
以上の構成により、ブルートゥース接続により、タッチパネル６の操作でマウス動作を検出し、パーソナルコンピュータ１６側に位置情報を送信することができるが、その特徴は以下の通りである。
（１）近年普及してきているブルートゥース携帯電話を用いることによって、常時所持している機器でマウスの代用ができる。
（２）場所を選ばずマウス操作ができる。また、ブルートゥース接続であるため、接続状況が安定する。
（３）バッテリーは携帯電話のバッテリーを用いるので、別途電源の外付けは不要である。また、ブルートゥース接続であるため、省電力消費で済む。
（４）マウスのクリックボタンは、標準で実装されている携帯電話のボタンで代用することもできる。
（５）ＨＩＤ対応のブルートゥースチップ（またはモジュール）は、種類も豊富で広く流通しているので、容易、且つ安価に実装を行うことができる。
（６）現在主流である折りたたみ式カメラ付き携帯電話が、小型マウスの形状と似ているので、手で持ち易いという利点も有する。
【００１９】
以上、本発明を適用した携帯電話について説明してきたが、本発明が前記実施形態に限定されるものでないことは言うまでもない。例えば、先の実施形態では、パーソナルコンピュータのカーソル制御を行うようにしたが、操作対象はパーソナルコンピュータに限定されず、操作対象の機器にブルートゥースチップを搭載させることにより、オーディオビジュアル機器（ＡＶ機器）の操作、または車のキーレスエントリー等に応用可能である。
【００２０】
また、図４に示すように、タッチパネル６を、一般的な携帯電話に良く使われるファンクションボタンの周辺に実装されている上、下、左、右の十字ボタンの代用として配置することも可能である。決定ボタンとしては、タッチパネル６全体がスイッチになっていて、押すと決定とみなされる。これによりボタンの数を減らすことができ、携帯電話１のアプリケーションの中でもマウス動作を実現することが可能になる。
【図面の簡単な説明】
【００２１】
【図１】本発明を適用した携帯電話の一例を示すものであり、（ａ）は表示部の平面図、（ｂ）は操作部の平面図である。
【図２】本発明を適用した携帯電話の一例を示すものであり、（ａ）は左側面図、（ｂ）は右側面図である。
【図３】本発明を適用した携帯電話の回路構成を示すブロック図である。
【図４】本発明を適用した携帯電話の他の例を示す平面図である。
【符号の説明】
【００２２】
１      携帯電話
２      操作部
３      表示部
４      サブディスプレイ
５      カメラレンズ
６      タッチパネル
７      バッテリーカバー
８，９  クリックボタン部
１１      ブルートゥースチップ
１２      フラッシュメモリ
１３      マウス機能部分
１４      入力部
１５      エレクトリックセンサ
１６      パーソナルコンピュータ
１７      ブルートゥースユニット
【図１】
2006042123.tif 000003
【図２】
2006042123.tif 000004
【図３】
2006042123.tif 000005
【図４】
2006042123.tif 000006